(57)【特許請求の範囲】
【請求項１】
既設の開水路の内面形状に略相似形の外面形状を有し、既設の開水路の内面に流れ方向に沿って順に配設して開水路を更生するために用いられる単位長さの開水路更生部材であって、該開水路更生部材は、多数のガラス繊維の間に含浸されたウレタン樹脂組成物を発泡硬化させて成形された繊維強化発泡樹脂成形体から形成され、底面部と、底面部の左右端縁部に立設された左側面部および右側面部とからなり、左側面部および右側面部の上端面に外端縁から外方に設定長さ突出する上面補強材が設けられる一方、底面部、左側面部および右側面部の一端部近傍の外面にわたって設けられたスペーサに受け金具が固定されるとともに、該受け金具の底面部分に取付穴を形成した複数個の取付金具が該取付穴を底面部の一端縁から外方に突出して位置するように固定され、また、底面部、左側面部および右側面部の他端部の外面にわたって前記受け金具の内面側に重合可能な挿し金具が設けられるとともに、受け金具の内面または挿し金具の外面にわたって止水パッキンが設けられ、さらに、既設の開水路に複数の開水路更生部材を配設した際に、裏込め材を充填するためのグラウトホールが設定長さ単位で位置するように、開水路更生部材の底面部、左側面部および右側面部の少なくとも一つにグラウトホールが設けられることを特徴とする開水路更生部材。
【請求項２】
前記底面部、左側面部および右側面部の外面にわたって長手方向に間隔をおいて複数本の縦補強桟が設けられるとともに、隣接する縦補強桟間に幅方向および高さ方向に間隔をおいて複数本の横補強桟が設けられることを特徴とする請求項１記載の開水路更生部材。
【請求項３】
請求項１または２記載の開水路更生部材を既設の開水路に配置し、開水路更生部材を既設の開水路に取付金具の取付穴を通してアンカーにより固定した後、新たな開水路更生部材を既設の開水路に配置するとともに、新たな開水路更生部材をその他端面と先に固定した開水路更生部材の一端面とが略当接するように引き寄せ、先に固定した開水路更生部材の受け金具に新たな開水路更生部材の挿し金具を差し込んで継手を形成した後、新たな開水路更生部材を既設の開水路に取付金具の取付穴を通してアンカーにより固定し、以下、グラウトホールが設定長さ単位で位置するように、新たな開水路更生部材を受け金具と挿し金具が継手を形成した状態で順に固定し、次いで、固定された開水路更生部材を支保工を介して支持した後、グラウトホールを通して裏込め材を開水路更生部材の外面と既設の開水路の内面との間に充填することを特徴とする開水路更生部材を用いた開水路の更生方法。
【請求項４】
前記裏込め材が軽量多孔質繊維強化コンクリートであることを特徴とする請求項３記載の開水路更生部材を用いた開水路の更生方法。
【請求項５】
既設の開水路の内面形状に略相似形の外面形状を有し、既設の開水路の内面に流れ方向に沿って順に配設して開水路を更生するために用いられる単位長さの開水路更生部材であって、該開水路更生部材は、多数のガラス繊維の間に含浸されたウレタン樹脂組成物を発泡硬化させて成形された繊維強化発泡樹脂成形体から形成され、底面部と、底面部の左右端縁部に立設された左側面部および右側面部とからなり、左側面部および右側面部の上端面に外端縁から外方に設定長さ突出する上面補強材が設けられる一方、底面部、左側面部および右側面部の一端部の外面にわたって縦補強桟がその一端面を底面部、左側面部および右側面部の端面から外方に設定長さ突出して設けられるとともに、他端部近傍の外面にわたって縦補強桟が、一端部に設けられた縦補強桟の一端面に対向する他端面を底面部、左側面部および右側面部の端面から内方に設定長さ後退して設けられ、また、底面部の両端部に幅方向に間隔をおいて複数個の下穴が縦横補強桟を貫通して形成され、既設の開水路に複数の開水路更生部材を固定した際に、裏込め材を充填するためのグラウトホールが設定長さ単位で位置するように、開水路更生部材の底面部、左側面部および右側面部の少なくとも一つにグラウトホールが設けられることを特徴とする開水路更生部材。
【請求項６】
前記底面部、左側面部および右側面部の外面にわたって長手方向に間隔をおいて複数本の縦補強桟が設けられるとともに、隣接する縦補強桟間に幅方向および高さ方向に間隔をおいて複数本の横補強桟が設けられることを特徴とする請求項５記載の開水路更生部材。
【請求項７】
請求項５または６記載の開水路更生部材を既設の開水路に配置し、開水路更生部材を既設の開水路に底面部の下穴を通してアンカーにより固定した後、新たな開水路更生部材を既設の開水路に配置するとともに、新たな開水路更生部材をその他端面と先に固定した開水路更生部材の一端面とが略当接するように引き寄せ、先に固定した開水路更生部材の一端部に設けられた縦補強桟の一端面に、新たな開水路更生部材の他端部に設けられた縦補強桟の対向する他端面を接合した後、新たな開水路更生部材を既設の開水路に底面部の下穴を通してアンカーにより固定し、以下、グラウトホールが設定長さ単位で位置するように、新たな開水路更生部材を対向する縦補強桟の端面が接合した状態で順に固定し、次いで、固定された開水路更生部材を支保工を介して支持した後、グラウトホールを通して裏込め材を開水路更生部材の外面と既設の開水路の内面との間に充填することを特徴とする開水路更生部材を用いた開水路の更生方法。
【請求項８】
前記裏込め材が軽量多孔質繊維強化コンクリートであることを特徴とする請求項７記載の開水路更生部材を用いた開水路の更生方法。
【発明の詳細な説明】
【技術分野】
【０００１】
この発明は、開水路更生部材および開水路更生部材を用いた開水路の更生方法に関するものである。
【背景技術】
【０００２】
農業用水路、導水路、余水路などの開水路は、使用により老朽化した場合、浸食やひび割れによって漏水や浸水が生じる。このため、老朽化した開水路については、補修・改修する必要がある。
【０００３】
通常、開水路を補修する場合、不良部分を除去し、その除去部分に新たにコンクリートを打ち直すことが行なわれているが、このような補修法では、既設コンクリートの不良部分の削り、搬出、新コンクリートの打設といった作業が必要となり、工期が長期化するという問題がある。
【０００４】
このため、既設の開水路の表面に固定部材をアンカーボルトを介して固定し、固定部材を利用してＦＲＰ板を開水路の全面に張設した後、ＦＲＰ板の背面と既設の開水路の表面との間にモルタルを打設して開水路を更生する工法が提案されている（例えば、特許文献１，２参照）。
【特許文献１】特公平６−１９１３２号公報
【特許文献２】特開２００５−５４４７４号公報
【発明の開示】
【発明が解決しようとする課題】
【０００５】
しかしながら、前述した工法において、既設の開水路の内面とＦＲＰ板の外面との空間にモルタルを充填するには、その空間の上方開口部を通して行なう必要がある。この場合、上方開口部は、開放されているため、設定圧力で供給されたモルタルが上方開口部から漏出しないように、左右の上方開口部を設定圧力のモルタルに抗して密封する必要があり、作業が煩雑になるという欠点がある。また、例えば、左側の上方開口部からモルタルを供給した場合、モルタルは、左ＦＲＰ板の外面と既設の開水路の左側面との空間を経て底ＦＲＰ板の外面と既設の開水路の底面の空間に達し、その後、右ＦＲＰ板の外面と既設の開水路の右側面との空間に充填されることになるため、流動抵抗が大きくなる。このため、対向する上方開口部まで確実にモルタルが到達するように、モルタルの供給圧力は大きくなりがちとなる。したがって、既設の開水路の左右側面と左右のＦＲＰ板の外面との間に形成される空間の上方開口部をより高い圧力に対抗できるように密封する必要があり、コストがかさむとともに、工期が長期化するという問題がある。
【０００６】
本発明は、このような問題点に鑑みてなされたもので、裏込め材を簡単に充填できる開水路更生部材を提供するとともに、裏込め材を簡単に充填できる開水路更生部材を用いて工期を短縮して開水路を更生することができる更生方法を提供するものである。
【課題を解決するための手段】
【０００７】
本発明の開水路更生部材は、既設の開水路の内面形状に略相似形の外面形状を有し、既設の開水路の内面に流れ方向に沿って順に配設して開水路を更生するために用いられる単位長さの開水路更生部材であって、該開水路更生部材は、多数のガラス繊維の間に含浸されたウレタン樹脂組成物を発泡硬化させて成形された繊維強化発泡樹脂成形体から形成され、底面部と、底面部の左右端縁部に立設された左側面部および右側面部とからなり、左側面部および右側面部の上端面に外端縁から外方に設定長さ突出する上面補強材が設けられる一方、底面部、左側面部および右側面部の一端部近傍の外面にわたって設けられたスペーサに受け金具が固定されるとともに、該受け金具の底面部分に取付穴を形成した複数個の取付金具が該取付穴を底面部の一端縁から外方に突出して位置するように固定され、また、底面部、左側面部および右側面部の他端部の外面にわたって前記受け金具の内面側に重合可能な挿し金具が設けられるとともに、受け金具の内面または挿し金具の外面にわたって止水パッキンが設けられ、さらに、既設の開水路に複数の開水路更生部材を配設した際に、裏込め材を充填するためのグラウトホールが設定長さ単位で位置するように、開水路更生部材の底面部、左側面部および右側面部の少なくとも一つにグラウトホールが設けられることを特徴とするものである。
【０００８】
本発明によれば、前後の開水路更生部材を受け金具と挿し金具との継手により密封しつつ接続することができる。この場合、設定長さ単位でグラウトホールが位置するように、グラウトホールを設けた開水路更生部材を含む複数の開水路更生部材を接続することにより、設定長さ単位で設けられるグラウトホールに裏込め材のホースなどを接続すれば、裏込め材を開水路更生部材の外面と既設の開水路の内面によって形成される空間に簡単に充填することができる。充填された裏込め材は、上面補強材によってそれ以上の漏出が阻止される。
【０００９】
ここで、グラウトホールの取付位置としては、流動長さが左右に均等化される底面部の幅方向中間部が好ましいが、左右の側面部にそれぞれ１個ずつ設けてもよく、また、施工の制約から、更生区間の一部においては、左右の側面部の一方のみに設けてもよい。
【００１０】
本発明において、前記底面部、左側面部および右側面部の外面にわたって長手方向に間隔をおいて複数本の縦補強桟が設けられるとともに、隣接する縦補強桟間に幅方向および高さ方向に間隔をおいて複数本の横補強桟が設けられると、開水路更生部材を補強することができるため、好ましい。これにより、裏込め材の充填時に撓みの発生を防止することができる。
【００１１】
本発明の開水路更生部材を用いた開水路の更生方法は、請求項１または２記載の開水路更生部材を既設の開水路に配置し、開水路更生部材を既設の開水路に取付金具の取付穴を通してアンカーにより固定した後、新たな開水路更生部材を既設の開水路に配置するとともに、新たな開水路更生部材をその他端面と先に固定した開水路更生部材の一端面とが略当接するように引き寄せ、先に固定した開水路更生部材の受け金具に新たな開水路更生部材の挿し金具を差し込んで継手を形成した後、新たな開水路更生部材を既設の開水路に取付金具の取付穴を通してアンカーにより固定し、以下、グラウトホールが設定長さ単位で位置するように、新たな開水路更生部材を受け金具と挿し金具が継手を形成した状態で順に固定し、次いで、固定された開水路更生部材を支保工を介して支持した後、グラウトホールを通して裏込め材を開水路更生部材の外面と既設の開水路の内面との間に充填することを特徴とするものである。
【００１２】
本発明によれば、既設の開水路に開水路更生部材を受け金具と挿し金具が継手を形成した状態で順にアンカー固定し、開水路更生部材を支保工を介して支持した後、開水路更生部材に設定長さ単位で設けられたグラウトホールに裏込め材のホースなどを接続して裏込め材を供給することにより、開水路更生部材の撓みを抑えつつ開水路更生部材の外面と既設の開水路の内面および上面補強材によって形成される空間に裏込め材を簡単に充填することができるとともに、工期を短縮して開水路を更生することが可能となる。
【００１３】
ここで、グラウトホールは、更生区間の設定長さ単位で設けられることから、単位長さの開水路更生部材が短い場合、例えば、既設の開水路がゆるやかに湾曲している場合には、複数の開水路更生部材に１個の割合で開水路更生部材に設ければよい。一方、既設の開水路が直線である場合には、単位長さの開水路更生部材を長く形成することができ、各開水路更生部材にグラウトホールを設ければよい。
【００１４】
また、アンカーは、後打ちアンカーであって、ホールインアンカー（メカニカルアンカー）やケミカルアンカーを選択できる。
【００１５】
本発明において、前記裏込め材が軽量多孔質繊維強化コンクリートであることが好ましい。軽量多孔質繊維強化コンクリートとしては、明興防水株式会社の製造販売に係る商品名：エコセルロ（登録商標）モルタルを挙げることができる。このエコセルロ（登録商標）モルタルは、製紙工場より排出される副産物を利用して加工した繊維質物質（エコセルロ（登録商標））を発泡コンクリートの材料に使用したものであり、繊維が気泡、セメント粒子、水を抱き込み、水を完全に押し出して隙間のない充填が可能となる。すなわち、エコセルロ（登録商標）モルタルを裏込め材として採用するときには、水を外部に押し出して裏込め材を開水路更生部材の外面と開水路の表面との空間に隙間なく充填することができるものとなる。
【００１６】
本発明の開水路更生部材は、既設の開水路の内面形状に略相似形の外面形状を有し、既設の開水路の内面に流れ方向に沿って順に配設して開水路を更生するために用いられる単位長さの開水路更生部材であって、該開水路更生部材は、多数のガラス繊維の間に含浸されたウレタン樹脂組成物を発泡硬化させて成形された繊維強化発泡樹脂成形体から形成され、底面部と、底面部の左右端縁部に立設された左側面部および右側面部とからなり、左側面部および右側面部の上端面に外端縁から外方に設定長さ突出する上面補強材が設けられる一方、底面部、左側面部および右側面部の一端部の外面にわたって縦補強桟がその一端面を底面部、左側面部および右側面部の端面から外方に設定長さ突出して設けられるとともに、他端部近傍の外面にわたって縦補強桟が、一端部に設けられた縦補強桟の一端面に対向する他端面を底面部、左側面部および右側面部の端面から内方に設定長さ後退して設けられ、また、底面部の両端部に幅方向に間隔をおいて複数個の下穴が縦横補強桟を貫通して形成され、既設の開水路に複数の開水路更生部材を固定した際に、裏込め材を充填するためのグラウトホールが設定長さ単位で位置するように、開水路更生部材の底面部、左側面部および右側面部の少なくとも一つにグラウトホールが設けられることを特徴とするものである。
【００１７】
本発明によれば、前後の開水路更生部材を対向する縦補強桟の接合により接続することができる。この場合、設定長さ単位でグラウトホールが位置するように、グラウトホールを設けた開水路更生部材を含む複数の開水路更生部材を接続することにより、設定長さ単位で設けられるグラウトホールに裏込め材のホースなどを接続すれば、裏込め材を開水路更生部材の外面と既設の開水路の内面によって形成される空間に簡単に充填することができる。充填された裏込め材は、上面補強材によってそれ以上の漏出が阻止される。
【００１８】
ここで、グラウトホールの取付位置としては、流動長さが左右に均等化される底面部の幅方向中間部が好ましいが、左右の側面部にそれぞれ１個ずつ設けてもよく、また、施工の制約から、更生区間の一部においては、左右の側面部の一方のみに設けてもよい。
【００１９】
本発明において、前記底面部、左側面部および右側面部の外面にわたって長手方向に間隔をおいて複数本の縦補強桟が設けられるとともに、隣接する縦補強桟間に幅方向および高さ方向に間隔をおいて複数本の横補強桟が設けられると、開水路更生部材を補強することができるため、好ましい。これにより、裏込め材の充填時に撓みの発生を防止することができる。
【００２０】
本発明の開水路更生部材を用いた開水路の更生方法は、請求項５または６記載の開水路更生部材を既設の開水路に配置し、開水路更生部材を既設の開水路に底面部の下穴を通してアンカーにより固定した後、新たな開水路更生部材を既設の開水路に配置するとともに、新たな開水路更生部材をその他端面と先に固定した開水路更生部材の一端面とが略当接するように引き寄せ、先に固定した開水路更生部材の一端部に設けられた縦補強桟の一端面に、新たな開水路更生部材の他端部に設けられた縦補強桟の対向する他端面を接合した後、新たな開水路更生部材を既設の開水路に底面部の下穴を通してアンカーにより固定し、以下、グラウトホールが設定長さ単位で位置するように、新たな開水路更生部材を対向する縦補強桟の端面が接合した状態で順に固定し、次いで、固定された開水路更生部材を支保工を介して支持した後、グラウトホールを通して裏込め材を開水路更生部材の外面と既設の開水路の内面との間に充填することを特徴とするものである。
【００２１】
本発明によれば、既設の開水路に順に開水路更生部材を対向する縦補強桟の端面が接合した状態で順にアンカー固定し、開水路更生部材を支保工を介して支持した後、開水路更生部材に設定長さ単位で設けられたグラウトホールに裏込め材のホースなどを接続して裏込め材を供給することにより、開水路更生部材の撓みを抑えつつ開水路更生部材の外面と既設の開水路の内面および上面補強材によって形成される空間に裏込め材を簡単に充填することができるとともに、工期を短縮して開水路を更生することが可能となる。
【００２２】
ここで、グラウトホールは、更生区間の設定長さ単位で設けられることから、単位長さの開水路更生部材が短い場合、例えば、既設の開水路がゆるやかに湾曲している場合には、複数の開水路更生部材に１個の割合で開水路更生部材に設ければよい。一方、既設の開水路が直線である場合には、単位長さの開水路更生部材を長く形成することができ、各開水路更生部材にグラウトホールを設ければよい。
【００２３】
また、アンカーは、後打ちアンカーであって、ホールインアンカー（メカニカルアンカー）やケミカルアンカーを選択できる。
【００２４】
本発明において、前記裏込め材が軽量多孔質繊維強化コンクリートであることが好ましい。軽量多孔質繊維強化コンクリートとしては、明興防水株式会社の製造販売に係る商品名：エコセルロ（登録商標）モルタルを挙げることができる。このエコセルロ（登録商標）モルタルは、製紙工場より排出される副産物を利用して加工した繊維質物質（エコセルロ（登録商標））を発泡コンクリートの材料に使用したものであり、繊維が気泡、セメント粒子、水を抱き込み、水を完全に押し出して隙間のない充填が可能となる。すなわち、エコセルロ（登録商標）モルタルを裏込め材として採用するときには、水を外部に押し出して裏込め材を開水路更生部材の外面と開水路の表面との空間に隙間なく充填することができるものとなる。
【発明の効果】
【００２５】
本発明の開水路更生部材によれば、裏込め材を簡単に充填することができる。
【００２６】
また、本発明の開水路更生部材を用いた開水路の更生方法によれば、裏込め材を簡単に充填して、開水路を工期を短縮して更生することができる。
【発明を実施するための最良の形態】
【００２７】
以下、本発明の実施の形態を図面に基づいて説明する。
【００２８】
図１乃至図３には、本発明の開水路更生部材１の一実施形態が示されている。
【００２９】
この開水路更生部材１は、底面部２と、底面部２の左端部および右端部にそれぞれ沿って立設された左側面部３および右側面部４と、から主に構成され、後述する更生対象の農業用水路などの既設の開水路Ｗ（図２参照）の内面形状に略対応する外面形状を有している。そして、開水路更生部材１を構成する底面部２、左側面部３および右側面部４は、多数のガラス繊維の間に含浸されたウレタン樹脂組成物を発泡硬化させて成形された繊維強化発泡樹脂成形体（ＦＦＵ＝Fiber reinforced Formed Urethan）によって成形されている。
【００３０】
このような繊維強化発泡樹脂成形体は、遮水性、耐久性、耐磨耗性に優れるとともに、天然木材と同等の比重で軽量でありながら天然木材と同等以上の強度を有し、強度変化もほとんどなく、また、天然木材と同様の加工が可能であり、長期間水中に浸漬しても吸水することがなく、寸法、強度ともほとんど変化しない他、吸湿、乾燥による伸縮がなく、優れた寸法安定性を有するものである。
【００３１】
また、開水路更生部材１を構成する左側面部３の上端面および右側面部４の上端面には、左右の側面部３，４の内面に連続する内面を有するとともに、その外端縁から外方に設定長さ突出する上面補強材５が一体に貼着されている他、左右の側面部３，４の外面には、上端面を上面補強材５の下面に当接させるとともに、下端を底面部２の外面から下方に設定長さ突出する複数本の縦補強桟６が長手方向に設定間隔をおいて一体に貼着されている。同様に、底面部２の外面にも、前述した左右の側面部３，４に貼着された各縦補強桟６に連続するように、長手方向に設定間隔をおいて複数本の縦補強桟６が一体に貼着されている。さらに、左右の側面部３，４の外面には、隣接する一対の縦補強桟６，６間において、複数本の横補強桟７が互いに連続するように高さ方向に設定間隔をおいて一体に貼着されている他、底面部２の外面にも、隣接する一対の縦補強桟６，６間において、複数本の横補強桟７が互いに連続するように幅方向に設定間隔をおいて一体に貼着されている。
【００３２】
なお、底面部２の前端近傍および後端近傍の外面、左右の側面部３，４の前端近傍および後端近傍の外面には、他の横補強桟７と連続するように、前端の縦補強桟６の前方および後端の縦補強桟６の後方に位置して設定長さの横補強桟７’が延設されている。
【００３３】
一方、開水路更生部材１を構成する底面部２の前端近傍の外面および左右の側面部３，４の前端近傍の外面には、スペーサ８が一体に貼着されており、このスペーサ８には、複数個の取付金具１０を一体に溶着した受け金具９がビス止めされている（図１参照）。この受け金具９は、図６に示すように、スペーサ８の外面形状に沿うように、ステンレス鋼板を略Ｕ字状に折曲して形成され、その内面には、後述する止水パッキン１１を位置決めするための位置決め片９１が固定されている。また、複数個の取付金具１０は、スペーサ８の底面部分に幅方向に設定間隔をおいて、かつ、受け金具９の前端縁から一定長さ突出して設けられており、その突出部分には、取付穴１０ａが形成されている。
【００３４】
この場合、受け金具９をスペーサ８に固定した際、取付金具１０の取付穴１０ａが底面部２の前端縁を越えて外方に位置するように設定されている。
【００３５】
さらに、開水路更生部材１を構成する底面部２の後端部の外面および左右の側面部３，４の後端部の外面には、挿し金具１２がビス止めされている（図１参照）。この挿し金具１２は、図７に示すように、底面部２の外面および左右の側面部３，４の外面に沿うように、ステンレス鋼板を略Ｕ字状に折曲して形成されている。
【００３６】
この場合、挿し金具１２を開水路更生部材１の底面部２、左側面部３および右側面部４の後端部にわたって固定した際、挿し金具１２の後端部がそれらの後端縁を越えて設定長さ突出するように設定されている。
【００３７】
さらにまた、開水路更生部材１の底面部２には、複数本に１本の割合でグラウトホール１３（図４参照）が設けられている。このグラウトホール１３は、底面部２に形成された取付穴２ａに嵌合可能な筒状部と、筒状部の端部に一体に設けられたフランジ部とからなり、その中心に後述する接続ニップル１４（図９参照）の雄ねじに対応する雌ねじ１３ａが形成されている。そして、グラウトホール１３は、底面部２の外面側から取付穴２ａに筒状部が挿入され、フランジ部が底面部２の外面に接着剤を介して貼着されている。
【００３８】
次に、このように構成された開水路更生部材１を用いて既設の開水路Ｗを更生する施工手順について説明する。
【００３９】
まず、渇水期において、更生する既設の開水路Ｗの流水面を更生区間にわたって洗浄した後、詳細には図示しないが、測量結果に基づいて底面部２を支持する支持金具をホールインアンカーを打ち込んで固定する。支持金具の固定が終了すれば、更生区間の後端に開水路更生部材１を配置する。次いで、開水路更生部材１の取付金具１０の取付穴１０ａを通して既設の開水路Ｗの底面にホールインアンカーを打ち込んだ後、ホールインアンカーにナットを締結し、後端の開水路更生部材１を固定する。その後、固定した開水路更生部材１の前方に新たな開水路更生部材１を配置し、接続する。具体的には、後方の開水路更生部材１の前端部に設けられた受け金具９に、前方の開水路更生部材１の後端部に設けられ、その後端縁から後方に向けて突出している挿し金具１２を合わせ、前方の開水路更生部材１を後方に引き込んで、受け金具９の内方に挿し金具１２を挿入して継手を形成する。この際、受け金具９の内面に設けられた止水パッキン１１（図３参照）に挿し金具１２の外面が接触し、受け金具９と挿し金具１２間を密封する。そして、後方の開水路更生部材１の底面部２、左右の側面部３，４の前端面に、前方の開水路更生部材１の底面部２、左右の側面部３，４の後端面が略当接する位置に達したならば、再び前方の開水路更生部材１の取付金具１０の取付穴１０ａを通して既設の開水路Ｗの底面にホールインアンカーを打ち込んだ後、ホールインアンカーにナットを締結し、次の開水路更生部材１を固定する。
【００４０】
以下同様に、先に固定した開水路更生部材１の前方に新たな開水路更生部材１を配置し、受け金具９に挿し金具１２を合わせて継手を形成した後、ホールインアンカーおよびナットによって順に固定するものである。
【００４１】
この場合、複数本に１本の割合で、例えば、３本に１本の割合で、グラウトホール１３が設けられた開水路更生部材１を接続し、固定する。
【００４２】
このようにして、更生区間にわたって開水路更生部材１を順次接続し、固定したならば、開水路更生部材１が浮上しないように、かつ、浮上による接合部分の段差が発生しないように、開水路更生部材１を支保工１５によって支持する。支保工１５は、例えば、図８に示すように、既設の開水路Ｗの両側に鋼材１５１を設置するとともに、左右の鋼材１５１間に設定間隔をおいて鋼材１５２を架け渡した後、設定間隔をおいて鋼材１５２と底面部２間に水圧サポート１５３を配設するととともに、左右の側面部３，４間に水圧サポート１５３を配設して構成される。
【００４３】
支保工１５を設置したならば、グラウトホール１３に接続ニップル１４を接続するとともに、接続ニップル１４にホース１４１を接続した後、図示しないコンクリートポンプを作動させて裏込め材Ｃを開水路更生部材１の外面と既設の開水路Ｗの内面との空間に供給する。
【００４４】
このとき、裏込め材Ｃは、開水路更生部材１の幅方向中央から左右の側壁部３，４の外面側にほぼ均等に分かれて充填されるため、相対的に流動抵抗が小さくなり、コンクリートポンプによる裏込め材Ｃの吐出圧を小さくすることができる。具体的には、開水路更生部材１の強度も考慮しつつ、高さ２ｍの開水路更生部材１に対応することができるように、裏込め材Ｃの吐出圧は、０．２ＭＰａに設定されている。
【００４５】
また、グラウトホール１３を通して供給された裏込め材Ｃは、底面部２の外面と既設の開水路Ｗの底面との空間を充填するとともに、左側面部３の外面と既設の開水路Ｗの左側面との空間および右側面部４の外面と既設の開水路Ｗの右側面との空間に達し、充填する。この際、裏込め材Ｃは、左右の側面部３，４の外面と既設の開水路Ｗの左右側面とによって形成される空間の上方開口部を通して外部に漏出しようとするが、この上方開口部は、上面補強材５によってほぼ閉鎖されており、かつ、ほぼ左右均等の流動抵抗となることに対応して、上面補強材５に到達するために必要な裏込め材Ｃの吐出圧力を調整することができ、裏込め材Ｃの漏出を抑えることができる。
【００４６】
ここで、裏込め材Ｃとしては、明興防水株式会社の製造販売に係る軽量多孔質繊維強化コンクリート（商品名：エコセルロ（登録商標）モルタル）を用いることが好ましい。すなわち、エコセルロ（登録商標）モルタルは、製紙工場より排出される副産物を利用して加工した繊維質物質（エコセルロ（登録商標））を発泡コンクリートの材料に使用したものであり、繊維が気泡、セメント粒子、水を抱き込み、水を完全に押し出して隙間のない充填が可能になる利点がある。
【００４７】
このため、エコセルロ（登録商標）モルタルを裏込め材Ｃとして採用するときには、既設の開水路Ｗに水が浸入したとしても、水を外部に押し出して裏込め材Ｃを開水路更生部材１の外面と既設の開水路Ｗの表面との空間に隙間なく充填することができる。
【００４８】
裏込め材Ｃが硬化したならば、接続ニップル１４からホース１４１を離脱させるとともに、グラウトホール１３から接続ニップル１４を離脱させた後、支保工１５を撤去し、次いで、底面部２に形成された取付穴２ａに図示しない栓体を嵌合接着し、その表面が底面部２の表面と面一となるように調整し、合わせて開水路更生部材１の内面を清掃する。
【００４９】
なお、前述した開水路更生部材１の実施形態においては、前端部に受け金具９を、後端部に挿し金具１２をそれぞれ設けた場合を例示したが、前端部に挿し金具１２を、後端部に受け金具９をそれぞれ設けるようにしてもよく、また、止水パッキン１１を挿し金具１２の外面に設けるようにしてもよい。
【００５０】
ところで、前述した開水路更生部材１においては、前後の開水路更生部材１，１を受け金具９と挿し金具１２による継手によって接続する場合を例示したが、図１０および図１１に示す開水路更生部材１を採用することもできる。
【００５１】
この開水路更生部材１も、繊維強化発泡樹脂成形体製の底面部２と、底面部２の左端縁部および右端縁部にそれぞれ立設された左側面部３および右側面部４と、から主に構成され、既設の開水路Ｗの内面形状に略対応する外面形状を有している。
【００５２】
なお、この開水路更生部材１も、前述した開水路更生部材１と基本構造は同一であり、同一の部材には同一の符号を付してその詳細な説明を省略し、相違する点についてのみ説明する。
【００５３】
開水路更生部材１を更生する左側面部３および右側面部４の外面には、上端面を上面補強材５の下面に当接させるとともに、下端を底面部２の外面から下方に設定長さ突出する複数本の縦補強桟６が両端部の縦補強桟６１，６２とともに長手方向に設定間隔をおいて一体に貼着されている。同様に、底面部２の外面にも、前述した左右の側面部３，４に貼着された各縦補強桟６に連続するように、両端部とともに長手方向に設定間隔をおいて複数本の縦補強桟６が一体に貼着されている。さらに、左側面部３および右側面部４の外面には、隣接する一対の縦補強桟６１，６，６２間において、複数本の横補強桟７が互いに連続するように高さ方向に設定間隔をおいて一体に貼着されている他、底面部２の外面にも、隣接する一対の縦補強桟６１，６，６２間において、複数本の横補強桟７が互いに連続するように幅方向に設定間隔をおいて一体に貼着されている。
【００５４】
ここで、開水路更生部材１を更生する底面部２、左側面部３および右側面部４の前端部および後端部にそれぞれ設けられた縦補強桟６１，６２のうち、前端部に設けられた縦補強桟６１は、その前端面が底面部２、左側面部３および右側面部４の前端縁から前方に設定長さ突出するように設けられ、また、後端部に設けられた縦補強桟６２は、その後端面が底面部２、左側面部３および右側面部４の後端縁から前方に設定長さ後退して設けられている。そして、前後方向に隣接する開水路更生部材１，１において、後方の開水路更生部材１の前端面と、前方の開水路更生部材１の後端面とが略当接するように相対的に移動させた際、前方の開水路更生部材１の後端部に設けられた縦補強桟６２の後端面と、後方の開水路更生部材１の前端部に設けられた縦補強桟６１の前端面とが接合するように設定されている。
【００５５】
また、底面部２の前端部および後端部には、幅方向に間隔をおいて複数個の下穴２ｘが両端部の縦補強桟６を貫通して形成されている。この下穴２ｘは、ホールインアンカーを打ち込むために形成され、底面部２に形成された穴の径がホールアンカーに締結するナットに対応して大径に形成され、縦補強桟６に形成された穴の径がホールインアンカーの軸に対応して小径に形成されている。
【００５６】
次に、このように構成された開水路更生部材１を用いて既設の開水路Ｗを更生する場合も同様に施工することができる。
【００５７】
具体的には、更生する既設の開水路Ｗの流水面を更生区間にわたって洗浄した後、底面部２を支持する支持金具をホールインアンカーを打ち込んで固定する。次いで、更生区間の後端に開水路更生部材１を配置した後、底面部２の下穴２ｘを通して既設の開水路Ｗの底面にホールインアンカーを打ち込み、ホールインアンカーにナットを締結し、後端の開水路更生部材１を固定する。その後、固定した開水路更生部材１の前方に新たな開水路更生部材１を配置し、後方の開水路更生部材１の前端部に設けられた縦補強桟６に、前方の開水路更生部材１の後端部を合わせ、前方の開水路更生部材１を後方に引き込む。この際、前方の開水路更生部材１の後端部に設けられた縦補強桟６の後端面に水膨張性ゴム１６（図１１参照）が貼着されており、前方の開水路更生部材１の後端部に設けられた縦補強桟６２の後端面と、後方の開水路更生部材１の前端部に設けられた縦補強桟６１の前端面とが水膨張性ゴム１６を介して接合される。このため、前方の開水路更生部材１の後端部に設けられた縦補強桟６２と、後方の開水路更生部材１の前端部に設けられた縦補強桟６１との接合部が水膨張性ゴム１６によって密封される。
【００５８】
この後、前方の開水路更生部材１の底面部２の下穴２ｘを通して既設の開水路Ｗの底面にホールインアンカーを打ち込んだ後、ホールインアンカーにナットを締結し、開水路更生部材１を固定する。
【００５９】
以下同様に、先に固定した開水路更生部材１の前方に新たな開水路更生部材１を配置し、それらの開水路更生部材１の前端部および後端部において対向する縦補強桟６を水膨張性ゴムを介して接合した後、ホールインアンカーおよびナットによって順に固定するものである。
【００６０】
この場合も、複数本に１本の割合で、例えば、３本に１本の割合で、グラウトホール１３が設けられた開水路更生部材１を接続し、固定する。
【００６１】
このようにして、更生区間にわたって開水路更生部材１を順次接続し、固定したならば、開水路更生部材１が浮上しないように、かつ、浮上による接合部分の段差が発生しないように、開水路更生部材１を支保工１５によって支持した後、グラウトホール１３に接続ニップル１４を接続するとともに、接続ニップル１４にホース１４１を接続した後、図示しないコンクリートポンプを作動させて裏込め材Ｃを開水路更生部材１の外面と既設の開水路Ｗの内面との空間に供給すればよい。
【００６２】
なお、開水路更生部材の両端部に縦補強桟を設ける実施形態においては、後端部に設ける縦補強桟を設定長さ後方に突出させ、前端部に設ける縦補強桟を設定長さ後方に後退させるようにしてもよい。
【産業上の利用可能性】
【００６３】
以上のように本発明によれば、既設の開水路を開水路更生部材によって簡単に更生することができることから、水資源を有効に、かつ、安全に活用することができる。
【図面の簡単な説明】
【００６４】
【図１】本発明の開水路更生部材の一実施形態を示す平面図および側面図である。
【図２】図１のＡ−Ａ線端面図である。
【図３】図１のＢ−Ｂ線端面図である。
【図４】図１のＣ−Ｃ線断面図である。
【図５】図１の開水路更生部材を一部省略して示す平面図および側面図である。
【図６】受け金具を示す平面図、正面図および側面図である。
【図７】挿し金具を示す平面図、正面図および側面図である。
【図８】図１の開水路更生部材を用いて開水路を更生する際の支保工を説明する正面図である。
【図９】開水路更生部材の背面側に裏込め剤を充填する工程を説明する断面図である。
【図１０】本発明の開水路更生部材の他の実施形態を示す平面図および側面図である。
【図１１】図８の開水路更生部材を接続する際の前端部と後端部の関係を説明する拡大断面図である。
【符号の説明】
【００６５】
１  開水路更生部材
２  底面部
２ａ  取付穴
２ｘ  下穴
３  左側面部
４  右側面部
５  上面補強材
６，６１，６２  縦補強桟
７  横補強桟
８  スペーサ
９  受け金具
１０  取付金具
１１  止水パッキン
１２  挿し金具
１３  グラウトホール
１４  接続ニップル
１５  支保工
１６  水膨張性ゴム
Ｃ  裏込め材
Ｗ  既設の開水路
【図１】
0004401342.tif 000002
【図２】
0004401342.tif 000003
【図３】
0004401342.tif 000004
【図４】
0004401342.tif 000005
【図５】
0004401342.tif 000006
【図６】
0004401342.tif 000007
【図７】
0004401342.tif 000008
【図８】
0004401342.tif 000009
【図９】
0004401342.tif 000010
【図１０】
0004401342.tif 000011
【図１１】
0004401342.tif 000012